(57)【要約】      （修正有）【課題】和服帯として、角出し結びなどのオシャレ結びを、誰もが簡単に結ぶことができ、シンプルで安価に加工が可能で、容易に和服姿となり、後始末も容易な和服用帯を提供する。【解決手段】太鼓結びから手先までを折り畳みと糸止めで、手先部ジョイントを吊り下げる形式にすることにより、帯の手先部の背面、前面、どちらでも帯締めを挿入することを可能とする。帯結びのバリエーションを増やし、更にパイル部と鈎部からなる面ファスナーを使用することにより、帯地を切断することなく、窮屈感を軽減して華やかさを演出するものであり、柔らかい表現が可能な簡易帯とした。【選択図】図１
0003163225.tif 000002
【実用新案登録請求の範囲】
【請求項１】
帯の太鼓結びを形成するにあたり、胴巻き部を太鼓上部から１回転させて、手先を吊り下げ、糸止めすることで、手先の背面、前面に帯揚げ、帯締めを挿入することが可能な簡易帯。
【考案の詳細な説明】
【技術分野】
【０００１】
本考案は、帯地を簡単に着脱するための、和服の帯に関するもので、詳しくは誰でも  簡単、容易に角出し結びの着脱ができる帯を提供するものである。
【背景技術】
【０００２】
従来からの簡易着装帯は、儀式用の太鼓結びのみを基本としており、手先部裏側と胴巻き部の間に、帯締めを入れる事の出来る特徴をもつ簡易帯は、従来の技術では大変面倒なために普及しなかった。
【先行技術文献】
【特許文献】
【０００３】
【特許文献１】特許公開２００３−２０１６１１号公報
【特許文献２】登録実用新案第３１５６２７０号公報
【特許文献３】特許公開２００９−１２７１４５号公報
【考案の概要】
【考案が解決しようとする課題】
【０００４】
従来からの技術では手先部の裏側に、帯締めが入れられなかったことで、帯結びのバリエーションが特定されてしまうことや、更に紐や道具を使うことにより、それを隠す煩わしさと、帯に傷を発生させることなく、帯を結ぶ際の窮屈感を解決しようとするものである。
【課題を解決するための手段】
【０００５】
本考案は、帯の太鼓上部を三角状に折り畳み、帯本体の胴巻き部を１回転させて、手先部を上から吊り下げる構成で、手先部の裏側に帯締めを差し入れることが可能になり、帯結びのバリエーションが特定されてしまう問題点を解決している。
【０００６】
本考案は帯の垂れ裏部にパイル面をもった布地と、鈎面をもった布地をそれぞれ縫合し、このパイルと鈎よりなる面ファスナーを広く使用することで、３０ｃｍ程度の長短方向への移動が可能で、常人の胴周りなら自在に対応でき、面ファスナーの鈎部分に着脱自在の引っ掛かり防止カバー布を設けることで、ワンタッチ装着が可能となり問題点を解決している。
【考案の効果】
【０００７】
本考案の簡易帯は、初心者でも介添え者を必要とせず、誰でも簡単容易に通常の太鼓結びは勿論、角出し系の帯結びなどのおしゃれ結びも着こなせて、常人の胴周りなら系止自在で、長時間の着装でも窮屈感や着崩れの心配もなく、美しい帯姿を保つことができる。
【図面の簡単な説明】
【０００８】
【図１】本考案により作り帯の完成例を示す正面図 。
【図２】本考案により作り帯の完成例を示す背面図。
【図３】本考案の太鼓上部の三角形の折り畳みケジメの実施例を示す展開図。
【図４】折り畳んだ三角形と、二つ折りにした胴巻き部と、次の折り返しケジメ図。
【図５】二つ折りになった胴巻き部と手先ジョイント作成のケジメ実施例展開図。
【図６】前図の手先とケジメ線を折り畳んで、ジョイント部を作成した展開図。
【図７】本考案の手先部ジョイントを胴巻き部に糸止め、吊り下げる場所の斜視図。
【図８】本考案のジョイントを帯幅の中心に格納し、両脇を糸止めした実施展開図。
【図９】本考案の三角形部を帯裏側に折り曲げて、手先部を太鼓の底へ降ろす展開図。
【図１０】三角部を垂れ背面部の内側に入れて、面ファスナーの鈎部分にカバー布を  取付た展開図。
【考案を実施するための形態】
【０００９】
手先部を胴巻き上部から吊り下げることで帯枕、帯締め、帯揚げなどの挿入場所が自由になり、更に、手先部と胴巻き部を一体にしないことで、角出し結び、銀座結び、扇太鼓、鳥追い結びなど、今まで簡易結び帯では存在しなかった様々な結び方が可能であり、袋帯、名古屋帯、袋名古屋帯、京袋帯など、公知の技術に転用が可能である。
【実施例】
【００１０】
以下、添付図面に従って実施例を説明する。図１は、本考案の太鼓文様面側から見た正面完成図であるが、すでに、そのまま着装者のキモノの胴体に巻きつけるだけでよい状態に形成されており、一例として、帯枕は使わず、帯揚げを太鼓１のトップの位置に通し、帯締めを胴巻き前帯面図２Ａと手先部裏側４の間に通せば角出し結びとなるのである。
【００１１】
図２は、太鼓裏から見た完成図であるが、着装者の胴体に巻きつけて面ファスナーのパイル部５と、二ヶ所の面ファスナーの鈎部２０を系止させることでワンタッチで簡単に帯姿となる構造であり、その面ファスナーの鈎部が、帯地文様の装飾糸への引っ掛けを防止するために、鈎面ファスナーの鈎部に対応してカバー布２１を着脱自在に縫い付けたものである。
【００１２】
図３からは、この考案の構成の説明であるが、太鼓柄の中心１は基本的に定位置にあり、垂れと太鼓中心との大きさのバランスをとって、紋様の大きさの中心位置を決め、太鼓柄部分の最上部分６から７ｃｍ前後上の位置を三角形底辺に合わせ、胴巻き部を二つ折りにするケジメ７、８をつけておく。
【００１３】
図４は、帯地本体を裏返し、垂れ裏面５の上部にパイル面ファスナーを帯幅いっぱいに縫い付けてから、全図の胴巻き部をケジメ７・８を外折りして図のように太鼓上部を三角形９に折り畳み、その三角形のトップ中央から４ｃｍ左に内折りケジメ１０をつけておく。
【００１４】
図５は、前図の胴巻き部二つ折りの延長上、手先側の図で、手先部と胴巻き部を繋ぐジョイント部を折り畳んで構成する事が本考案の重要な部分で、手先部４を先端から４０ｃｍの位置で折り返しのケジメ１１をつけて、この位置から、１２の間隔が１６ｃｍ、１３の間隔が４０ｃｍとして図のような外折りケジメをつける。
【００１５】
図６は、本考案の前図からのジョイント部ケジメを折り畳み、手先を４０ｃｍ折り返し、１４ケジメ部を外折りすることで、図の形体となり、手先部だけが正常な上向きになって、手先部を吊り下げる８ｃｍ程幅のジョイント１５が出来上がり、それぞれの三角部を６か所を糸止め１６する。
【００１６】
図７は、胴巻き部２Ａの内側に手先部のジョイントを入れるのだが、そのジョイントの幅の中心と、帯の太鼓幅の中心にきちっと合うよう、図４で示したケジメ１０を折り返して１７の部分で挟み込むように位置決めをする。
【００１７】
図８は、ジョイントがずり落ちないよう、ジョイント格納部にあたる１７の両際を挟み込み、太鼓上部の三角形９と共に、縦に縫い止め１８するのだが、ジョイント部の長さを後から若干修正出来るよう縫い込まない。
【００１８】
図９は、前図で糸止めした太鼓上部三角形を帯裏側に折り曲げることで、手先を吊り下げる形体となり、、手先部が太鼓の底辺に収まり、そして、胴巻き部が正常な上下を向くこととなり、これで帯枕、帯揚げ、帯締めを入れる場所が自由になり、好みで手先部のジョイントを上下させることにより、帯結びの発想が広がるのが、この考案を構築する核心の部分の斜視図である。
【００１９】
図１０は、三角形を垂れの内側に入れて、三角形と太鼓裏を数か所糸止め１９して、胴巻き外側面部２Ａの端に面ファスナーの鈎部２０を縦１０ｃｍ、横５ｃｍのサイズで２箇所、図のように縫い込み、その鈎部ーに起毛生地布でできた覆いカバー２１を縫い付けたものである
【符号の説明】
【００２０】
１    帯の太鼓文様面
２Ａ  胴巻き前帯面
２Ｂ  胴巻き下帯面
３Ａ  帯の垂れ表面部
３Ｂ  帯の垂れ裏面部
４    帯の手先部
５    面ファスナーのパイル部
６    太鼓結びのトップ位置ライン
７    三角外折りケジメ
８    胴巻き部二つ折りケジメ
９    ジョイント格納部
１０    ジョイント格納部折り返しケジメ
１１    手先部ケジメ
１２    手先部折り返し部寸法
１３    ジョイント寸法
１４    手先ジョイント部外折りケジメ
１５    手先ジョイント部
１６    ジョイント部糸止め個所
１７    ジョイント格納部
１８    ジョイント格納部糸止め個所
１９    垂れ上部と太鼓上部三角との接合糸止め個所
２０    面ファスナーの鈎部
２１    鈎部のカバー布
【図１】
0003163225.tif 000003
【図２】
0003163225.tif 000004
【図３】
0003163225.tif 000005
【図４】
0003163225.tif 000006
【図５】
0003163225.tif 000007
【図６】
0003163225.tif 000008
【図７】
0003163225.tif 000009
【図８】
0003163225.tif 000010
【図９】
0003163225.tif 000011
【図１０】
0003163225.tif 000012
【手続補正書】
【提出日】平成22年7月29日(2010.7.29)
【手続補正１】
【補正対象書類名】実用新案登録請求の範囲
【補正対象項目名】全文
【補正方法】変更
【補正の内容】
【実用新案登録請求の範囲】
【請求項１】
角出し型に折り畳み、糸止めして、帯の太鼓側から見て、手先部背面と胴巻き部の間に帯締めを挿入出来る隙間を設けたことで、簡単に角出しの結び方が可能となったことを特徴とする簡易帯。